【手続補正書】
【提出日】平成30年10月5日(2018.10.5)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
ネットワークエンティティによって、送信用のビデオセグメントの転送長を決定することと、ここにおいて、前記ビデオセグメントは、ストリーミングビデオサービスを表す複数のビデオセグメントのうちの１つであり、
前記ネットワークエンティティによって、前記転送長および割り振られた帯域幅に基づいて、前方誤り訂正（ＦＥＣ）パーセンテージを決定することと、ここにおいて、前記ＦＥＣパーセンテージを前記決定することは、
【数１】
2018521529.tif 000001
に基づいて、前記ＦＥＣパーセンテージを決定することを含み、ここで、Ｃは、前記割り振られた帯域幅を表し、Ｌは、前記転送長を表し、ｎは、前記ビデオセグメントの持続時間を表し、
前記ビデオセグメントに関連付けられた前記ＦＥＣパーセンテージを送信することと
を備える方法。
【請求項２】
前記ＦＥＣパーセンテージに従って、複数のＦＥＣシンボルを生成することと、
前記ビデオセグメントを送信することと、ここにおいて、前記ビデオセグメントは、ソースビデオデータシンボルおよび前記複数のＦＥＣシンボルを含む、
をさらに含む、請求項１に記載の方法。
【請求項３】
前記ＦＥＣパーセンテージは、ファイル記述テーブルに含まれる、請求項１に記載の方法。
【請求項４】
前記ネットワークエンティティは、ブロードキャストマルチキャストサービスセンター（ＢＭ−ＳＣ）である、請求項１に記載の方法。
【請求項５】
ワイヤレス通信のために構成された装置であって、
少なくとも１つのプロセッサと、
前記少なくとも１つのプロセッサに結合されたメモリと
を備え、ここにおいて、前記少なくとも１つのプロセッサは、
ネットワークエンティティによって、送信用のビデオセグメントの転送長を決定することと、ここにおいて、前記ビデオセグメントは、ストリーミングビデオサービスを表す複数のビデオセグメントのうちの１つであり、
前記ネットワークエンティティによって、前記転送長および割り振られた帯域幅に基づいて、前方誤り訂正（ＦＥＣ）パーセンテージを決定することと、ここにおいて、前記ＦＥＣパーセンテージを決定するように構成された前記少なくとも１つのプロセッサは、
【数２】
2018521529.tif 000002
に基づいて、前記ＦＥＣパーセンテージを決定する構成を含み、ここで、Ｃは、前記割り振られた帯域幅を表し、Ｌは、前記転送長を表し、ｎは、前記ビデオセグメントの持続時間を表し、
前記ビデオセグメントに関連付けられた前記ＦＥＣパーセンテージを送信することと  を行うように構成される、装置。
【請求項６】
前記少なくとも１つのプロセッサは、
前記ＦＥＣパーセンテージに従って、複数のＦＥＣシンボルを生成することと、
前記ビデオセグメントを送信することと、ここにおいて、前記ビデオセグメントは、ソースビデオデータシンボルおよび前記複数のＦＥＣシンボルを含む、
を行うようにさらに構成される、請求項５に記載の装置。
【請求項７】
前記ＦＥＣパーセンテージは、ファイル記述テーブルに含まれる、請求項５に記載の装置。
【請求項８】
前記ネットワークエンティティは、ブロードキャストマルチキャストサービスセンター（ＢＭ−ＳＣ）である、請求項５に記載の装置。
【手続補正２】
【補正対象書類名】明細書
【補正対象項目名】００８１
【補正方法】変更
【補正の内容】
【００８１】
[0086]本開示の先の説明は、いかなる当業者であっても、本開示の製造または使用を可能にするように提供される。本開示への様々な修正は、当業者には容易に明らかとなり、ここで定義した一般原理は、本開示の範囲または趣旨から逸脱することなく、他の変形形態に適用され得る。したがって、本開示は、ここで説明された例および設計に限定されるようには意図されず、ここで開示された原理および新規の特徴に合致する最も広い範囲を与えられることとなる。
以下に、本願の出願当初の特許請求の範囲に記載された発明を付記する。
［Ｃ１］
ワイヤレス通信の方法であって、
ネットワークエンティティによって、送信用のビデオセグメントの転送長を決定することと、ここにおいて、前記ビデオセグメントは、ストリーミングビデオサービスを表す複数のビデオセグメントのうちの１つであり、
前記ネットワークエンティティによって、前記転送長および割り振られた帯域幅に基づいて、前方誤り訂正（ＦＥＣ）パーセンテージを決定することと、
前記ビデオセグメントに関連付けられた前記ＦＥＣパーセンテージを送信することと  を備える方法。
［Ｃ２］
前記ＦＥＣパーセンテージに従って、複数のＦＥＣシンボルを生成することと、
前記ビデオセグメントを送信することと、ここにおいて、前記ビデオセグメントは、ソースビデオデータシンボルおよび前記複数のＦＥＣシンボルを含む、
をさらに含む、Ｃ１に記載の方法。
［Ｃ３］
前記ＦＥＣパーセンテージを前記決定することは、
【数３】
2018521529.tif 000003
に基づいて、前記ＦＥＣパーセンテージを決定することを含み、ここで、Ｃは、前記割り振られた帯域幅を表し、Ｌは、前記転送長を表し、ｎは、前記ビデオセグメントの持続時間を表す、Ｃ１に記載の方法。
［Ｃ４］
前記ＦＥＣパーセンテージは、ファイル記述テーブルに含まれる、Ｃ１に記載の方法。
［Ｃ５］
前記ネットワークエンティティは、ブロードキャストマルチキャストサービスセンター（ＢＭ−ＳＣ）である、Ｃ１に記載の方法。
［Ｃ６］
ワイヤレス通信の方法であって、
モバイルデバイスによって、第１の無線アクセス技術（ＲＡＴ）においてマルチキャストブロードキャストサービスを受信するためにチューニングすることと、
前記マルチキャストブロードキャストサービスに関連付けられた前方誤り訂正（ＦＥＣ）パーセンテージを検索することと、ここにおいて、前記ＦＥＣパーセンテージは、前記マルチキャストブロードキャストサービスを定義する複数のビデオセグメントのうちの現在のビデオセグメントに適用可能であり、ここにおいて、前記ＦＥＣパーセンテージは、前記複数のビデオセグメントの間で動的に可変であり、
前記モバイルデバイスにおいて、前記現在のビデオセグメントを受信することと、ここにおいて、前記現在のビデオセグメントは、ソースビデオデータシンボルおよび複数のＦＥＣシンボルを含み、ここにおいて、前記複数のＦＥＣシンボルの数は、前記ＦＥＣパーセンテージに基づく、
を備える方法。
［Ｃ７］
前記複数のＦＥＣシンボルの前記数が所定の閾値を超えることを検出することと、
前記検出することに応答して、第２のＲＡＴのためのページモニタリング機会の数を増大させることと
をさらに含む、Ｃ６に記載の方法。
［Ｃ８］
前記現在のビデオセグメントを受信することと、前記第２のＲＡＴのためのページモニタリング機会との間の衝突を検出すること、ここにおいて、前記複数のＦＥＣシンボルの前記数が前記所定の閾値を超えることを前記検出することおよび前記ページモニタリング機会の数を前記増大させることは、前記衝突に対する応答である、
をさらに含む、Ｃ７に記載の方法。
［Ｃ９］
前記モバイルデバイスによって、前記マルチキャストブロードキャストサービスのためのファイル記述テーブルを受信すること、ここにおいて、前記ＦＥＣパーセンテージは、前記ファイル記述テーブルから検索される、
をさらに含む、Ｃ６に記載の方法。
［Ｃ１０］
ワイヤレス通信のために構成された装置であって、
少なくとも１つのプロセッサと、
前記少なくとも１つのプロセッサに結合されたメモリと
を備え、ここにおいて、前記少なくとも１つのプロセッサは、
ネットワークエンティティによって、送信用のビデオセグメントの転送長を決定することと、ここにおいて、前記ビデオセグメントは、ストリーミングビデオサービスを表す複数のビデオセグメントのうちの１つであり、
前記ネットワークエンティティによって、前記転送長および割り振られた帯域幅に基づいて、前方誤り訂正（ＦＥＣ）パーセンテージを決定することと、
前記ビデオセグメントに関連付けられた前記ＦＥＣパーセンテージを送信することと  を行うように構成される、装置。
［Ｃ１１］
前記少なくとも１つのプロセッサは、
前記ＦＥＣパーセンテージに従って、複数のＦＥＣシンボルを生成することと、
前記ビデオセグメントを送信することと、ここにおいて、前記ビデオセグメントは、ソースビデオデータシンボルおよび前記複数のＦＥＣシンボルを含む、
を行うようにさらに構成される、Ｃ１０に記載の装置。
［Ｃ１２］
前記ＦＥＣパーセンテージを決定するように構成された前記少なくとも１つのプロセッサは、
【数４】
2018521529.tif 000004
に基づいて、前記ＦＥＣパーセンテージを決定する構成を含み、ここで、Ｃは、前記割り振られた帯域幅を表し、Ｌは、前記転送長を表し、ｎは、前記ビデオセグメントの持続時間を表す、Ｃ１０に記載の装置。
［Ｃ１３］
前記ＦＥＣパーセンテージは、ファイル記述テーブルに含まれる、Ｃ１０に記載の装置。
［Ｃ１４］
前記ネットワークエンティティは、ブロードキャストマルチキャストサービスセンター（ＢＭ−ＳＣ）である、Ｃ１０に記載の装置。
［Ｃ１５］
ワイヤレス通信のために構成された装置であって、
少なくとも１つのプロセッサと、
前記少なくとも１つのプロセッサに結合されたメモリと
を備え、ここにおいて、前記少なくとも１つのプロセッサは、
モバイルデバイスによって、第１の無線アクセス技術（ＲＡＴ）においてマルチキャストブロードキャストサービスを受信するためにチューニングすることと、
前記マルチキャストブロードキャストサービスに関連付けられた前方誤り訂正（ＦＥＣ）パーセンテージを検索することと、ここにおいて、前記ＦＥＣパーセンテージは、前記マルチキャストブロードキャストサービスを定義する複数のビデオセグメントのうちの現在のビデオセグメントに適用可能であり、ここにおいて、前記ＦＥＣパーセンテージは、前記複数のビデオセグメントの間で動的に可変であり、
前記モバイルデバイスにおいて、前記現在のビデオセグメントを受信することと、ここにおいて、前記現在のビデオセグメントは、ソースビデオデータシンボルおよび複数のＦＥＣシンボルを含み、ここにおいて、前記複数のＦＥＣシンボルの数は、前記ＦＥＣパーセンテージに基づく、
を行うように構成される、装置。
［Ｃ１６］
前記少なくとも１つのプロセッサは、
前記複数のＦＥＣシンボルの前記数が所定の閾値を超えることを検出することと、
前記数が前記所定の閾値を超えることに応答して、第２のＲＡＴのためのページモニタリング機会の数を増大させることと
を行うようにさらに構成される、Ｃ１５に記載の装置。
［Ｃ１７］
前記少なくとも１つのプロセッサは、前記現在のビデオセグメントを受信することと、前記第２のＲＡＴのためのページモニタリング機会との間の衝突を検出するようにさらに構成され、ここにおいて、前記複数のＦＥＣシンボルの前記数が前記所定の閾値を超えることを検出するための前記少なくとも１つのプロセッサの前記構成および前記ページモニタリング機会の数を増大させるための前記少なくとも１つのプロセッサの前記構成は、前記衝突に対する応答である、Ｃ１６に記載の装置。
［Ｃ１８］
前記少なくとも１つのプロセッサは、前記モバイルデバイスによって、前記マルチキャストブロードキャストサービスのためのファイル記述テーブルを受信するようにさらに構成され、ここにおいて、前記ＦＥＣパーセンテージは、前記ファイル記述テーブルから検索される、Ｃ１５に記載の装置。